(57)【要約】【課題】ＬＡＮ利用環境下で、オフィス内の机の近辺にネットワーク装置を設置する場合に、収まりが良く且つオフィスの美観を損なわずに省スペースを図ることができるようにした安価なラック設備を提供する。【解決手段】高さ調整可能で内部にネットワーク装置を収納し得るようしたラック本体１と、ラック本体１を机類間に配置した際に机類の奥側となる側において、机類の奥側の位置に合せて突出量調整可能なスライド板７とを備え、ラック本体１の机類に面する側に着脱可能にカバーを設け得るよう構成する。【選択図】図１
2006004048.tif 000002
【特許請求の範囲】
【請求項１】
机類の高さに合せて高さ調整可能で且つ内部にネットワーク装置を収納し得るようにしたラック本体と、該ラック本体を机類間に配置した際に机類の奥側となる側において、机類の奥側の位置に合せて略水平方向に対する突出量を調整し得るようにした板状手段とを備えたことを特徴とするラック設備。
【請求項２】
ラック本体の机類に面する開口部に着脱可能にカバーを設け得るよう構成した請求項１記載のラック設備。
【請求項３】
ラック本体の幅寸法は約１００ｍｍとした請求項１又は２記載のラック設備。
【発明の詳細な説明】
【技術分野】
【０００１】
本発明はラック設備に関するものである。
【背景技術】
【０００２】
ＬＡＮ(ローカル  エリア  ネットワーク)環境やＩＰ電話環境を構築するために、多数の配線をネットワーク装置（スイッチングＨＵＢやＩＰ電話用の給電装置等）から各端末のある机まで引き回す場合には、新築及び大規模改修済みの事務所ビルでは、スラブ床上に約１００ｍｍ程度の上げ床を形成するために、アルミダイカスト等の材質の床パネルを金属脚を用いて固定設置させることが多い。
【０００３】
スイッチングＨＵＢやＩＰ電話用の給電装置等というＬＡＮのネットワーク装置は、その信号入力側はデジタル信号を少数のケーブルに伝送するためケーブル扱いに優れているが、信号出力側では各端末の数だけケーブル本数を接続、延長する必要があり、ケーブル本数は非常に多くなる。
【０００４】
又、前記したように、上げ床を用いた場合、床下にＬＡＮの信号伝送配線及びＩＰ電話の給電線等を配線でき、机の奥側等において床から床上に配線を立ち上げるようにすると、非常に見栄え良くすっきりと配線することができる。
【０００５】
しかし、ＬＡＮやＩＰ電話が普及してきた現在、上げ床設置工事という大規模改修を行なわずに、古い既設の事務所ビルにおいて、ＬＡＮやＩＰ電話の環境を構築したいというニーズが高まってきている。
【０００６】
ところで、ネットワーク装置の信号出力側では、前述のように各端末の数だけケーブルを敷設するとケーブル本数は非常に多くなるので、できるだけ端末の近くにネットワーク装置を配置する必要がある。
【０００７】
オフィスにＬＡＮのネットワーク装置を配置する場合、簡易なものの場合には、弁当箱程度の大きさの装置を磁石等で机の等の側板に固定するようにしている。しかし、高速のＬＡＮやＩＰ電話を導入するには、ネットワーク装置は幅約４５０ｍｍ、奥行き約２４２ｍｍ程度の大きさになるため、磁石等で固定するには大きく重すぎ、落下して破損する虞がある。そこで、斯かるネットワーク装置を落下させないため、ネットワーク装置は空いている机の上や机の近辺に設置する必要がある。しかし、複数の机がまとめられて島形式に配置されている場合は、机の上にも机のそばにも設置するスペースがなく、ネットワーク装置としては簡易なものしか設置することができない。
【０００８】
ネットワーク装置の先行技術文献としては、例えば、特許文献１、２がある。而して、特許文献１の場合は、ＯＡ機器を設置して作業するためのＯＡテーブル上にＬＡＮ用機器を置くことなく、ＯＡテーブル天板下に収まるキャビネットを設けてその内部にＬＡＮ用のＨＵＢやルータ等の機器を収納するようにしている。又、特許文献２の場合はパソコン用ラックは、机の間の床面に設置されて机に並置されているが、ラックの一側には内臓するパソコン等の機器の熱放散のために、放熱スリットがあるため、ラックは机の端に設置する必要がある。
【特許文献１】特開平１１−２０６４６７号公報
【特許文献２】特開２００１−６７１３８号公報
【発明の開示】
【発明が解決しようとする課題】
【０００９】
上述したように、従来のネットワーク装置を空いている机の上やその近辺に置く場合は、余分な机が必要になったり、オフィスの見栄えが良くないという美観上の問題があり、床を上げ床にして床下に配線を行なう、いわゆるフリーアクセス工事を行なう場合は、設備費、運転維持費等のコストが嵩むという問題がある。このため、ネットワーク装置の設置に関してオフィスの機能を損なうことなく、収まり良くしかも美観上も優れた解決策が求められていた。
【００１０】
又、特許文献１においては、キャビネット内に各ＨＵＢやルータ等の機器を横方向位置に並べて設置させるため、キャビネットの幅は広くなり、ＯＡテーブルに引き出し等を設けることができないため、ＯＡテーブルの書類等の収納スペースは減少してしまう。
【００１１】
更に、特許文献２の場合は、ラックは机の脇に設置するようにしてはいるが、高さ及び奥行きが固定のため、高さ及び奥行きが机と同一の場合は良いが、異なる場合は収まりが良くなくオフィスの美観も悪くなるうえ、機器の放熱のためラックは机の端に置く必要があるため、配置の利便性が良くない。
【００１２】
本発明は、上述の実情に鑑み、ＬＡＮ利用環境下で、オフィス内の机の近辺にネットワーク装置を設置する場合に、机や脇机等の机類の間に対する収まりが良く且つオフィスの美観を損なわずに省スペースを図ることができるようにした、配置の利便性が良好な安価なラック設備を提供することを目的としてなしたものである。
【課題を解決するための手段】
【００１３】
請求項１のラック設備は、机類の高さに合せて高さ調整可能で且つ内部にネットワーク装置を収納し得るようにしたラック本体と、該ラック本体を机類間に配置した際に机類の奥側となる側において、机類の奥側の位置に合せて略水平方向に対する突出量を調整し得るようにした板状手段とを備えたものである。
【００１４】
請求項２のラック設備は、ラック本体の机類に面する開口部に着脱可能にカバーを設け得るよう構成したものであり、請求項３のラック設備においては、ラック本体の幅寸法は約１００ｍｍとしている。
【発明の効果】
【００１５】
本発明のラック設備によれば、下記のごとき種々の優れた効果を奏し得る。
Ｉ）通常のオフィスの机や脇机等の机類の間にもきちんと見栄え良くオフィスの美観を損なうことがなく収まるうえ、オフィスの省スペース化が可能となる。
ＩＩ）ラック本体の上面は机の一部としても利用することができるため、スペースの有効利用を図ることができる。
ＩＩＩ）誰にでも簡単に分かる構造であるため、ユーザは安心して使用することができる。
ＩＶ）机間の僅かなスペースにＬＡＮ関連機器のネットワーク装置を収納したラック本体を収めることで、少数の信号入口側配線をモール等で配線することができるため、配線が邪魔になることはなく配置の利便性が良好である。
Ｖ）既設の事務所ビルに高価なフリーアクセス工事をすることなくＬＡＮ環境を見栄え良く構築でき、従って、配線工事の短縮、配線の保守が容易となり、設備費、運転維持費が安価となる。
ＶＩ）設置した際に机類に対向するラック本体の開口した面にカバーを取付ければ騒音をより一層低減できる。
【発明を実施するための最良の形態】
【００１６】
以下、本発明の実施の形態を図示例と共に説明する。
図１〜図８は本発明を実施する形態の一例である。図１は本発明のラック設備の一実施例の正面図、図２は図１のＩＩ−ＩＩ方向矢視図、図３は図１のＩＩＩ−ＩＩＩ方向矢視図、図４は図１のＩＶ−ＩＶ方向矢視図、図５は図２のＶ部拡大図、図６は本発明のラック設備を机と脇机の間に配置すると共に机及び脇机の奥側へ収納する前の状態を示す斜視図、図７は本発明のラック設備を机と脇机の間に配置して完全に机及び脇机の奥側へ収納した状態を示す斜視図、図８は本発明のラック設備を机と脇机の間に配置した状態で、机及び脇机の前面側のカバーを取外した状態を示す斜視図である。
【００１７】
而して、本図示例のラック設備を構成するラック本体１は、断面形状がチャンネル形状で且つ上方が開口されて水平に延びる下部水平部材２と、下部水平部材２の上方に配置されると共に断面形状がチャンネル形状で且つ下方が開口されて水平に延びる上部水平部材３と、下端部が下部水平部材２の溝部に嵌入されて固定され、上端部が上部水平部材３の溝部に挿入されて固定された左右の縦部材４，５を備えており、全体としての正面形状は、額縁状に形成されている。ラック本体１の正面及び背面の額縁状の部分には、騒音の漏洩を防止したり内部に塵埃が侵入するのを防止する等のため必要に応じて板状のカバーを着脱可能に取付け得るようになっている。ただし、図示例ではカバーは取付けていない例を示している。
【００１８】
縦部材４の側面、すなわち、ラック本体１を机８と脇机９の間に収納した場合に机８や脇机９の手前側となる側には、内部のランプの光が見えるようにしたグレイのアクリル製の窓６ａ及びワンタッチパネルファスナ６ｂ並びに空気流通用のスリット６ｃ等を有する板状のカバー６を着脱可能に取付け得るようになっており、縦部材５の上側面、すなわち、机８と脇机９の間に収納した場合に机８や脇机９の奥側となる側には水平方向へスライド可能にスライド板７が配置されている。而してスライド板７は、机８や脇机９の奥行き寸法に合せて突出量を調整し得るようになっている。
【００１９】
下部水平部材２の下面には、ラック本体１の高さを机８や脇机９の高さに合せるためのレベルフット１０が左右２箇所、前後２箇所、合計４箇所に設けられている。レベルフット１０は下部水平部材２下面に溶接されたナット１０ａ、ナット１０ａに螺合されて下端に支持部材１０ｃを備えたボルト状の脚部１０ｂを備えている。又、レベルフット１０の左右各１箇所には、断面形状がＺ型の固定金具１１が、ナット１２により固定し得るよう取付けられている。
【００２０】
なお、図６、図８中、１３はラック本体１内に収納されたスイッチングＨＵＢ、１４はＩＰ電話給電装置、１５は外部からのおおもとのデータ信号伝送ケーブル、１６はスイッチングＨＵＢ１３で分岐されると共にＩＰ電話給電装置１４に接続され、且つデータ信号を伝送するようにしたケーブル、１７はＩＰ電話給電装置１４から複数の机８が集まった島の各机８のＩＰ電話や各パソコンに接続されるケーブルである。ケーブル１７は、ＩＰ電話の場合は給電とデータ通信に使用され、パソコンの場合はデータ通信に使用される。
【００２１】
而して、ラック設備は、収納機器の定尺寸法が１９インチと公称されていることから、いわゆる１９インチラックであり、机８や脇机９の奥行き方向と同一方向である奥行き寸法Ｌは約６４０ｍｍ、スライド板７の机８や脇机９の奥行き方向に対する調整代Ｌｏは０〜２００ｍｍ、机８や脇机９の幅方向と同一方向であるラック本体の幅寸法Ｗは約１００ｍｍ、レベルフット１０の脚部１０ｂ下面からラック本体１上面までの高さ寸法Ｈは約６９５ｍｍ〜７２５ｍｍ（レベルフット１０による高さ調整代は３０ｍｍ）である。
【００２２】
本図示例によれば、ラック設備の高さ寸法Ｈはレベルフット１０による高さ調整により、又、奥行き寸法Ｌ＋Ｌｏはスライド板７の突出量を調整することにより、机８や脇机９の高さ寸法及び奥行き寸法に合せることができ、又、ラック本体１の幅寸法Ｗは僅かに１００ｍｍと目立たないため、通常のオフィスの机８や脇机９の間にもきちんと見栄え良く収まるうえ、オフィスの省スペース化が可能となる。すなわち、本図示例のラック設備ではオフィスの美観を損なうことがなく、且つ、ラック本体１の上面は机８の一部としても利用することができるため、スペースの有効利用を図ることができる。
【００２３】
更に、誰にでも簡単に分かる構造であるため、ユーザは安心して使用することができ、しかも、机８と脇机９との間の僅かなスペースにＬＡＮ関連機器のネットワーク装置を収納したラック本体１を収めることで少数の信号入口側配線をモール等で配線することができるため、配線が邪魔になることはなく配置の利便性が良好であり、しかも、既設の事務所ビルに高価なフリーアクセス工事をすることなくＬＡＮ環境を見栄え良く構築できて配線工事の短縮、配線の保守が容易となり、このため、設備費、運転維持費が安価となる。
【００２４】
更に又、設置した際に机８や脇机９に対向するラック本体１の開口した面にカバーを取付ければ騒音をより一層低減できる。
【００２５】
又更に、こちら側の机８に対向して配置された机の側においても机と脇机等の間にラックを設置するが、このラックは情報ステーションとしてのＵＰＳ（無停電電源装置）やサーバ設置用ラックとして利用することが考えられ、従って、将来的には用途が拡大する可能性がある。
【００２６】
なお、本発明のラック設備においては、ラック本体を机と脇机の間に設置する場合について説明したが、机と脇机の間、或は、脇机と脇机との間に設置しても使用できること、その他、本発明の要旨を逸脱しない範囲内において種々変更を加え得ることは勿論である。
【図面の簡単な説明】
【００２７】
【図１】本発明のラック設備の実施の形態の一例の正面図である。
【図２】図１のＩＩ−ＩＩ方向矢視図である。
【図３】図１のＩＩＩ−ＩＩＩ方向矢視図である。
【図４】図１のＩＶ−ＩＶ方向矢視図である。
【図５】図２のＶ部拡大図である。
【図６】本発明のラック設備を机と脇机の間に配置すると共に机の奥側へ収納する前の状態を示す斜視図である。
【図７】本発明のラック設備を机と脇机の間に配置して完全に机の奥側へ収納した状態を示す斜視図である。
【図８】本発明のラック設備を机と脇机の間に配置した状態で、机手前側のカバーを取外した状態を示す斜視図である。
【符号の説明】
【００２８】
１  ラック本体
７  スライド板（板状手段）
８  机（机類）
９  脇机（机類）
１３  スイッチングＨＵＢ(ネットワーク装置)
１４  給電装置(ネットワーク装置)
Ｗ  幅寸法
【図１】
2006004048.tif 000003
【図２】
2006004048.tif 000004
【図３】
2006004048.tif 000005
【図４】
2006004048.tif 000006
【図５】
2006004048.tif 000007
【図６】
2006004048.tif 000008
【図７】
2006004048.tif 000009
【図８】
2006004048.tif 000010